(57)【要約】【課題】電子ボリューム値の切り替え時の画質低下や表示のチラツキ等を抑制できる表示ドライバー、電気光学装置及び電子機器等の提供。【解決手段】表示ドライバーは、温度センサー９０を用いて求められた検出温度に基づいて電子ボリューム値を出力する調整部２０と、電子ボリューム値に基づいて駆動電源電圧を供給する電源回路６０と、駆動電源電圧に基づいて表示パネルを駆動する駆動回路を含む。調整部２０は、検出温度が第１の温度範囲に属する場合には、駆動電源電圧を第１の電圧に設定する第１の電子ボリューム値を出力し、検出温度が第２の温度範囲に属する場合には、駆動電源電圧を第２の電圧に設定する第２の電子ボリューム値を出力する。そして検出温度が属する温度範囲が第１の温度範囲から第２の温度範囲に切り替わった場合に、駆動電源電圧を、第１の電圧と第２の電圧の間の補間電圧に設定する補間電子ボリューム値を出力する。【選択図】図２
2015176120.tif 000002
【特許請求の範囲】
【請求項１】
温度センサーを用いて求められた検出温度に基づいて電子ボリューム値を出力する調整部と、
前記電子ボリューム値に基づいて駆動電源電圧を供給する電源回路と、
前記駆動電源電圧に基づいて表示パネルを駆動する駆動回路と、
を含み、
前記調整部は、
前記検出温度が第１の温度範囲に属する場合には、前記駆動電源電圧を第１の電圧に設定する第１の電子ボリューム値を出力し、
前記検出温度が第２の温度範囲に属する場合には、前記駆動電源電圧を第２の電圧に設定する第２の電子ボリューム値を出力し、
前記検出温度が属する温度範囲が前記第１の温度範囲から前記第２の温度範囲に切り替わった場合に、前記駆動電源電圧を、前記第１の電圧と前記第２の電圧の間の補間電圧に設定する補間電子ボリューム値を出力することを特徴とする表示ドライバー。
【請求項２】
請求項１において、
前記調整部は、
前記検出温度が属する温度範囲が前記第１の温度範囲から前記第２の温度範囲に切り替わった場合に、前記第１の電子ボリューム値と前記第２の電子ボリューム値の間を所与の分割数で補間した複数の前記補間電子ボリューム値を出力することを特徴とする表示ドライバー。
【請求項３】
請求項２において、
前記分割数を可変に設定するための分割数レジスターを含むことを特徴とする表示ドライバー。
【請求項４】
請求項１乃至３のいずれかにおいて、
前記調整部は、
前記検出温度が属する温度範囲を判断する温度範囲判断部と、
前記温度範囲判断部による今回の期間での判断結果及び前回の期間での判断結果に基づいて、前記検出温度が属する温度範囲が変化したか否かを判断し、前記温度範囲が変化したと判断した場合に、前記第１の電子ボリューム値と前記第２の電子ボリューム値の間の前記補間電子ボリューム値を出力する出力部と、
を含むことを特徴とする表示ドライバー。
【請求項５】
請求項１乃至４のいずれかにおいて、
前記調整部は、
前記温度センサーからの複数の検出温度値に基づいて、前記検出温度を求め、前記検出温度が属する温度範囲を判断することを特徴とする表示ドライバー。
【請求項６】
請求項５において、
前記温度センサーから前記複数の検出温度値が出力される期間の長さをＴ１とし、前記補間電子ボリューム値が出力される期間の長さをＴ２とした場合に、Ｔ１≧Ｔ２であることを特徴とする表示ドライバー。
【請求項７】
請求項１乃至６のいずれかにおいて、
前記第１の電子ボリューム値と前記第２の電子ボリューム値を可変に設定するためのボリューム値レジスターを含むことを特徴とする表示ドライバー。
【請求項８】
請求項１乃至７のいずれかにおいて、
前記第１の温度範囲と前記第２の温度範囲の境界温値度を可変に設定するための境界温度レジスターを含むことを特徴とする表示ドライバー。
【請求項９】
請求項１において、
前記第１の電子ボリューム値と前記第２の電子ボリューム値を可変に設定するためのボリューム値レジスターと、
前記第１の温度範囲と前記第２の温度範囲の境界温度値を可変に設定するための境界温度レジスターと、
分割数を可変に設定するための分割数レジスターとを含み、
前記調整部は、
前記境界温度レジスターに設定される前記境界温度値に基づいて、前記検出温度が属する温度範囲を判断する温度範囲判断部と、
前記温度範囲判断部による今回の期間での判断結果及び前回の期間での判断結果と、前記分割数レジスターに設定される前記分割数とに基づいて、前記電子ボリューム値の切り替え期間におけるカウント値信号と、前記切り替え期間における前記電子ボリューム値の変化幅信号を出力する演算部と、
前記ボリューム値レジスターに設定される前記第１の電子ボリューム値及び前記第２の電子ボリューム値と、前記演算部からの前記カウント値信号及び前記変化幅信号とに基づいて、加算処理を行って、前記切り替え期間において、前記第１の電子ボリューム値と前記第２の電子ボリューム値の間を前記分割数で補間した複数の前記補間電子ボリューム値を出力する加算部と、
を含むことを特徴とする表示ドライバー。
【請求項１０】
請求項１乃至９のいずれかにおいて、
第１の期間において前記温度センサーから出力される複数の第１の検出温度値に基づき求められた第１の検出温度が第１の温度範囲に属し、第２の期間において前記温度センサーから出力される複数の第２の検出温度値に基づき求められた第２の検出温度が第２の温度範囲に属する場合に、
前記電源回路は、
前記第１の電圧と前記第２の電圧を補間した複数の前記補間電圧を、前記駆動電源電圧として供給することを特徴とする表示ドライバー。
【請求項１１】
請求項１乃至１０のいずれかに記載の表示ドライバーを含むことを特徴とする電気光学装置。
【請求項１２】
請求項１乃至１０のいずれかに記載の表示ドライバーを含むことを特徴とする電子機器。
【発明の詳細な説明】
【技術分野】
【０００１】
本発明は、表示ドライバー、電気光学装置及び電子機器等に関する。
【背景技術】
【０００２】
従来より、ＬＣＤパネル等の表示パネルを駆動する表示ドライバーが知られている。このような表示ドライバーでは、表示パネルの駆動電源電圧を調整する電子ボリュームや環境温度を検出する温度センサーが設けられている。この表示ドライバーでは、温度センサーにより検出された検出温度に基づいて電子ボリューム値を調整し、駆動電源電圧を、環境温度に対応した電圧に設定する。
【０００３】
ＬＣＤパネルを例にとれば、環境温度が異なると、液晶の透過率が変化するため、同一の駆動電源電圧でＬＣＤパネルを駆動した場合にも、表示画像の色味が変化してしまう。温度センサーの検出温度に基づいて電子ボリューム値を調整して駆動電源電圧を設定すれば、このような色味の変化を抑制できる。このような電子ボリュームと温度センサーを有する表示ドライバーの従来技術としては、例えば特許文献１に開示される技術がある。
【先行技術文献】
【特許文献】
【０００４】
【特許文献１】特開２００４−８５３８４号公報
【発明の概要】
【発明が解決しようとする課題】
【０００５】
しかしながら、これまでの表示ドライバーでは、検出温度に基づく電子ボリューム値の切り替えを一気に行っていた。このように電子ボリューム値の切り替えを一気に行うと、切り替わった瞬間が表示に見えてしまうおそれがある。また、電子ボリューム値の切り替え境界付近で温度が不安定な場合に、電子ボリューム値が頻繁に切り替わり、表示がちらつくなどの問題が生じるおそれがある。
【０００６】
本発明の幾つかの態様によれば、電子ボリューム値の切り替え時の画質低下や表示のチラツキ等を抑制できる表示ドライバー、電気光学装置及び電子機器等を提供できる。
【課題を解決するための手段】
【０００７】
本発明の一態様は、温度センサーを用いて求められた検出温度に基づいて電子ボリューム値を出力する調整部と、前記電子ボリューム値に基づいて駆動電源電圧を供給する電源回路と、前記駆動電源電圧に基づいて表示パネルを駆動する駆動回路と、を含み、前記調整部は、前記検出温度が第１の温度範囲に属する場合には、前記駆動電源電圧を第１の電圧に設定する第１の電子ボリューム値を出力し、前記検出温度が第２の温度範囲に属する場合には、前記駆動電源電圧を第２の電圧に設定する第２の電子ボリューム値を出力し、前記検出温度が属する温度範囲が前記第１の温度範囲から前記第２の温度範囲に切り替わった場合に、前記駆動電源電圧を、前記第１の電圧と前記第２の電圧の間の補間電圧に設定する補間電子ボリューム値を出力する表示ドライバーに関係する。
【０００８】
本発明の一態様によれば、温度センサーを用いて求められた検出温度が第１の温度範囲に属する場合には、電子ボリューム値が第１の電子ボリューム値に設定されることで、駆動電源電圧が第１の電圧に設定されて、表示パネルが駆動される。また検出温度が第２の温度範囲に属する場合には、電子ボリューム値が第２の電子ボリューム値に設定されることで、駆動電源電圧が第２の電圧に設定されて、表示パネルが駆動される。そして検出温度が属する温度範囲が第１の温度範囲から第２の温度範囲に切り替わると、電子ボリューム値が補間電子ボリューム値に設定されることで、駆動電源電圧が、第１の電圧と第２の電圧の間の補間電圧に設定されて、表示パネルが駆動されるようになる。これにより、電子ボリューム値の切り替え時の画質低下や表示のチラツキ等を抑制できる表示ドライバー等の提供が可能になる。
【０００９】
また本発明の一態様では、前記調整部は、前記検出温度が属する温度範囲が前記第１の温度範囲から前記第２の温度範囲に切り替わった場合に、前記第１の電子ボリューム値と前記第２の電子ボリューム値の間を所与の分割数で補間した複数の前記補間電子ボリューム値を出力してもよい。
【００１０】
このようにすれば、電子ボリューム値の切り替え期間において、第１の電子ボリューム値と第２の電子ボリューム値の間を所与の分割数で補間した複数の補間電子ボリューム値が出力されるようになる。そして、これらの複数の補間電子ボリューム値により設定された複数の補間駆動電源電圧で表示パネルを駆動できるようになり、電子ボリューム値の切り替え時の画質低下や表示のチラツキ等を更に効果的に抑制できるようになる。
【００１１】
また本発明の一態様では、前記分割数を可変に設定するための分割数レジスターを含んでもよい。
【００１２】
このようにすれば、電子ボリューム値の切り替え期間における電子ボリューム値の変化幅を、分割数レジスターに設定される分割数に基づいて可変に制御できるようになる。
【００１３】
また本発明の一態様では、前記調整部は、前記検出温度が属する温度範囲を判断する温度範囲判断部と、前記温度範囲判断部による今回の期間での判断結果及び前回の期間での判断結果に基づいて、前記検出温度が属する温度範囲が変化したか否かを判断し、前記温度範囲が変化したと判断した場合に、前記第１の電子ボリューム値と前記第２の電子ボリューム値の間の前記補間電子ボリューム値を出力する出力部と、を含んでもよい。
【００１４】
このようにすれば、温度範囲判断部による今回の期間での判断結果及び前回の期間での判断結果に基づいて、検出温度が属する温度範囲がどのように変化したかを適切に検出できるようになり、電子ボリューム値の切り替え期間において、適正な補間電子ボリューム値を出力できるようになる。
【００１５】
また本発明の一態様では、前記調整部は、前記温度センサーからの複数の検出温度値に基づいて、前記検出温度を求め、前記検出温度が属する温度範囲を判断してもよい。
【００１６】
このようにすれば、温度センサーからの検出温度値にノイズ等が乗っていた場合にも、適切な検出温度を取得して、当該検出温度が属する温度範囲を適正に判断できるようになる。
【００１７】
また本発明の一態様では、前記温度センサーから前記複数の検出温度値が出力される期間の長さをＴ１とし、前記補間電子ボリューム値が出力される期間の長さをＴ２とした場合に、Ｔ１≧Ｔ２であってもよい。
【００１８】
このようにすれば、調整部の回路構成を簡素化できると共に回路設計の容易化を図れるようになる。
【００１９】
また本発明の一態様では、前記第１の電子ボリューム値と前記第２の電子ボリューム値を可変に設定するためのボリューム値レジスターを含んでもよい。
【００２０】
このようにすれば、検出温度が第１の温度範囲に属する場合に出力される第１の電子ボリューム値や、検出温度が第２の温度範囲に属する場合に出力される第２の電子ボリューム値を、ボリューム値レジスターを用いて可変に制御できるようになる。
【００２１】
また本発明の一態様では、前記第１の温度範囲と前記第２の温度範囲の境界温値度を可変に設定するための境界温度レジスターを含んでもよい。
【００２２】
このようにすれば、温度範囲の切り替えが行われる境界温度値を、境界温度レジスターを用いて可変に制御できるようになる。
【００２３】
また本発明の一態様では、前記第１の電子ボリューム値と前記第２の電子ボリューム値を可変に設定するためのボリューム値レジスターと、前記第１の温度範囲と前記第２の温度範囲の境界温度値を可変に設定するための境界温度レジスターと、分割数を可変に設定するための分割数レジスターとを含み、前記調整部は、前記境界温度レジスターに設定される前記境界温度値に基づいて、前記検出温度が属する温度範囲を判断する温度範囲判断部と、前記温度範囲判断部による今回の期間での判断結果及び前回の期間での判断結果と、前記分割数レジスターに設定される前記分割数とに基づいて、前記電子ボリューム値の切り替え期間におけるカウント値信号と、前記切り替え期間における前記電子ボリューム値の変化幅信号を出力する演算部と、前記ボリューム値レジスターに設定される前記第１の電子ボリューム値及び前記第２の電子ボリューム値と、前記演算部からの前記カウント値信号及び前記変化幅信号とに基づいて、加算処理を行って、前記切り替え期間において、前記第１の電子ボリューム値と前記第２の電子ボリューム値の間を前記分割数で補間した複数の前記補間電子ボリューム値を出力する加算部と、を含んでもよい。
【００２４】
このようにすれば、境界温度レジスターに設定される境界温度値に基づいて、検出温度が属する温度範囲を適正に判断できる。また温度範囲判断部による今回及び前回の期間での判断結果と、分割数レジスターに設定される分割数とに基づいて、電子ボリューム値の切り替え期間における電子ボリューム値の切り替えタイミングや変化幅を適正に設定して、第１の電子ボリューム値と第２の電子ボリューム値の間を分割数で補間した適正な複数の補間電子ボリューム値を出力できるようになる。
【００２５】
また本発明の一態様では、第１の期間において前記温度センサーから出力される複数の第１の検出温度値に基づき求められた第１の検出温度が第１の温度範囲に属し、第２の期間において前記温度センサーから出力される複数の第２の検出温度値に基づき求められた第２の検出温度が第２の温度範囲に属する場合に、前記電源回路は、前記第１の電圧と前記第２の電圧を補間した複数の前記補間電圧を、前記駆動電源電圧として供給してもよい。
【００２６】
このようにすれば、第１の期間において温度センサーから出力される複数の第１の検出温度値に基づき第１の検出温度を求め、第２の期間において温度センサーから出力される複数の第２の検出温度値に基づき第２の検出温度を求めることができる。そして、このようにして求められた第１の検出温度が第１の温度範囲に属し、第２の検出温度が第２の温度範囲に属する場合に、第１の電圧と第２の電圧を補間した複数の補間電圧を、駆動電源電圧として、表示パネルを駆動できるようになる。これにより、例えば第１の温度範囲と第２の温度範囲の境界温度値付近で、検出温度が不安定に変動した場合にも、電子ボリューム値の切り替え期間において電子ボリューム値や駆動電源電圧が段階的に変化するようになり、表示のチラツキ等を抑制できるようになる。
【００２７】
また本発明の他の態様は、上記のいずれかに記載の表示ドライバーを含む電気光学装置に関係する。
【００２８】
また本発明の他の態様は、上記のいずれかに記載の表示ドライバーを含む電子機器に関係する。
【図面の簡単な説明】
【００２９】
【図１】本実施形態の表示ドライバー、電気光学装置の構成例。
【図２】本実施形態の表示ドライバーの要部を示す図。
【図３】温度範囲及び各温度範囲に設定される電子ボリューム値の説明図。
【図４】本実施形態の動作を説明するタイミングチャート。
【図５】調整部の構成例。
【図６】電源回路の構成例。
【図７】本実施形態の動作を説明するタイミングチャート。
【図８】図８（Ａ）〜図８（Ｃ）も本実施形態の動作を説明するタイミングチャート。
【図９】本実施形態の動作を説明するタイミングチャート。
【図１０】図１０（Ａ）〜図１０（Ｃ）も本実施形態の動作を説明するタイミングチャート。
【図１１】電子ボリューム値の自動調整を行う場合の動作を説明するフローチャート。
【図１２】電子ボリューム値の自動調整を行わない場合の動作を説明するフローチャート。
【図１３】図１３（Ａ）、図１３（Ｂ）は本実施形態の電子ボリューム値、駆動電源電圧の調整手法の説明図。
【図１４】本実施形態の電子機器の構成例。
【発明を実施するための形態】
【００３０】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００３１】
１．表示ドライバー、電気光学装置
図１に本実施形態の表示ドライバー及びこの表示ドライバーを含む電気光学装置の構成例を示す。表示ドライバーは表示パネル２００を駆動し、表示パネル２００は表示ドライバーにより駆動されて画像を表示する。電気光学装置は、この表示ドライバーと表示パネル２００（電気光学パネル）を含む。電気光学装置としては、例えば車載用の表示ユニット（運転補助用ディスプレイ、インパネ内のメーターディスプレイ、カーナビゲーション用ディスプレイ等）や、携帯情報端末、テレビ、プロジェクターなどに使用される表示ユニットがある。
【００３２】
表示パネル２００は、例えば薄膜トランジスタ（ＴＦＴ）などのスイッチ素子を用いたアクティブマトリクス方式のＬＣＤパネル（液晶パネル）である。表示パネル２００は、複数のソース線（データ線）と、複数のゲート線（走査線）と、複数の画素を有する。そして表示パネル２００は、各画素領域における電気光学素子（液晶素子、ＥＬ素子等）の光学特性を変化させることで表示動作を実現する。なお表示パネル２００はＬＣＤパネル以外のパネル（ＥＬパネル等）であってもよい。
【００３３】
表示ドライバーは、制御部１０、電源回路６０、駆動回路７０を含む。また表示ドライバーは、温度センサー９０、発振回路１００、Ｉ／Ｆ（インターフェース）部１２０を含むことができる。なお本実施形態の表示ドライバーは図１の構成に限定されず、その構成要素の一部を省略したり、他の構成要素を追加するなどの種々の変形実施が可能である。
【００３４】
制御部１０は各種の制御処理を行う。例えば表示ドライバーの各部の制御や表示タイミングの制御やデータ処理の制御などを行う。この制御部１０はゲートアレイ回路などのロジック回路やプロセッサー等により実現できる。
【００３５】
制御部１０は、調整部２０、レジスター部４０、デコード部５０、タイミング制御部５２を含む。調整部２０の詳細については後述する。レジスター部４０は、各種情報を記憶するためのレジスターを有し、例えばフリップフロップ回路やＲＡＭ等のメモリーにより実現される。デコード部５０は、例えばＩ／Ｆ部１２０を介して外部デバイス（ＭＰＵ、表示コントローラー等）から入力されたコマンドのデコード処理を行う。デコード処理により得られた各種の情報はレジスター部４０に記憶される。タイミング制御部５２は、表示パネル２００の表示動作のための各種の表示制御信号を生成する。
【００３６】
電源回路６０は電源電圧を生成して供給する。例えば電源回路６０は昇圧回路やレギュレーターを有し、これらの昇圧回路やレギュレーターにより生成された電源電圧を表示ドライバーの各部に供給する。例えば電源回路６０は駆動電源電圧を生成して駆動回路７０に供給する。また内部ロジック回路用電源を生成して制御部１０に供給する。また電源回路６０は基準電源電圧等も生成する。
【００３７】
駆動回路７０は表示パネル２００を駆動する。具体的には電源回路６０から供給された駆動電源電圧に基づいて表示パネル２００のソース線等を駆動する。この駆動回路７０は、例えばソースドライバー７２、ゲートドライバー７４、Ｄ／Ａ変換回路７６、階調電圧生成回路７８を有する。なお駆動回路７０にゲートドライバー７４等を設けない変形実施も可能である。
【００３８】
ソースドライバー７２は表示パネル２００のソース線を駆動する。例えば画像データ（表示データ）に基づくソース電圧（データ電圧）を供給してソース線（データ線）を駆動する。ゲートドライバー７４は表示パネル２００のゲート線を駆動する。例えばゲート線（走査線）を順次選択するための選択電圧を供給してゲート線を駆動する。階調電圧生成回路７８（ガンマー回路）は複数の階調電圧（例えば２５６階調）を生成する。Ｄ／Ａ変換回路７６は、制御部１０からの画像データに基づいて、階調電圧生成回路７８により生成された複数の階調電圧の中から電圧を選択し、選択した電圧をソース電圧としてソースドライバー７２に供給する。
【００３９】
温度センサー９０は温度検出を行う。例えば温度センサー９０は検出温度（環境温度）に応じた検出温度値を出力する。例えば温度センサー９０が有する温度検出回路が、温度勾配を持つアナログの検出温度電圧を出力し、温度センサー９０が有するＡ／Ｄ変換回路がこのアナログの検出温度電圧をデジタルの検出温度値にＡ／Ｄ変換して、制御部１０に出力する。
【００４０】
発振回路１００は発振動作を行って発振クロック信号を生成する。制御部１０等はこの発振クロック信号に基づくクロック信号により動作する。発振回路１００は例えば抵抗とキャパシターを有するＣＲ発振回路などにより実現できる。
【００４１】
Ｉ／Ｆ部１２０は外部デバイス（ＭＰＵ、表示コントローラー等）とのインターフェース処理を行う。このＩ／Ｆ部１２０は、例えばＭＰＵインターフェース回路（ホストインターフェース回路）やＲＧＢインターフェース回路を含む。
【００４２】
２．電子ボリューム値の自動調整
さて、従来の表示ドライバーでは、温度センサーの検出温度に基づく電子ボリューム値の切り替えを一気に行っていた。このため、電子ボリューム値が切り替わった瞬間が表示に見えてしまったり、切り替えの境界付近で検出温度が不安定な場合に、電子ボリューム値が頻繁に切り替わって、表示がちらつくなどの問題が生じるおそれがある。
【００４３】
このような問題を解決するために本実施形態では、電子ボリューム値の切り替えを一気には行わずに、段階的に電子ボリューム値を刻んで出力する手法を採用する。例えば検出温度が属する温度範囲が切り替わった際に、電子ボリューム値を段階的に変化させる手法を採用する。
【００４４】
このような手法を実現するために、本実施形態の表示ドライバーは、温度センサー９０を用いて求められた検出温度に基づいて電子ボリューム値を出力する調整部２０と、電子ボリューム値に基づいて駆動電源電圧を供給する電源回路６０と、駆動電源電圧に基づいて表示パネル２００を駆動する駆動回路７０を含む。
【００４５】
そして調整部２０は、検出温度が第１の温度範囲に属する場合には、駆動電源電圧を第１の電圧に設定する第１の電子ボリューム値を出力する。一方、検出温度が第２の温度範囲に属する場合には、駆動電源電圧を第２の電圧に設定する第２の電子ボリューム値を出力する。例えば第１の温度範囲と第２の温度範囲は境界温度値を境界として隣り合う温度範囲である。そして調整部２０は、検出温度が属する温度範囲が第１の温度範囲から第２の温度範囲に切り替わった場合に、駆動電源電圧を、第１の電圧と第２の電圧の間の補間電圧に設定する補間電子ボリューム値を出力する。なお調整部２０は、検出温度が属する温度範囲が第２の温度範囲から第１の温度範囲に切り替わった場合にも、駆動電源電圧を、第１の電圧と第２の電圧の間の補間電圧に設定する補間電子ボリューム値を出力する。
【００４６】
具体的には調整部２０は、検出温度が属する温度範囲（温度領域）が第１の温度範囲から第２の温度範囲に切り替わった場合に、第１の電子ボリューム値と第２の電子ボリューム値の間を所与の分割数で補間した複数の補間電子ボリューム値を出力する。例えば調整部２０は、検出温度の温度範囲が切り替わった場合に、その切り替え期間において、第１の電子ボリューム値から第２の電子ボリューム値へと段階的に変化する値を、補間電子ボリューム値として出力する。そして電源回路６０は、この切り替え期間において、第１の電圧（第１の駆動電源電圧）から第２の電圧（第２の駆動電源電圧）へと段階的に変化する補間電圧を、駆動電源電圧として出力する。なお調整部２０は、検出温度が属する温度範囲が第２の温度範囲から第１の温度範囲に切り替わった場合には、その切り替え期間において、第２の電子ボリューム値から第１の電子ボリューム値へと段階的に変化する値を、補間電子ボリューム値として出力する。そして電源回路６０は、この切り替え期間において、第２の電圧から第１の電圧へと段階的に変化する補間電圧を、駆動電源電圧として出力する。
【００４７】
ここで第１の電圧をＰＷＶ１、第２の電圧をＰＷＶ２、補間電圧をＰＷＶＩＰとすると、例えばＰＷＶ１＜ＰＷＶＩＰ＜ＰＷＶ２（或いはＰＷＶ１＞ＰＷＶＩＰ＞ＰＷＶ２）の関係が成り立つ。また第１の電子ボリューム値をＥＶ１、第２の電子ボリューム値をＥＶ２、補間電子ボリューム値をＥＶＩＰとすると、ＥＶ１＜ＥＶＩＰ＜ＥＶ２（或いはＥＶ１＞ＥＶＩＰ＞ＥＶ２）の関係が成り立つ。また駆動電源電圧は、駆動回路７０が表示パネル２００の駆動のために用いる電源電圧である。例えば駆動電源電圧としては、コモン電極駆動電圧（ＶＣＯＭ）、ソースドライバー用電源電圧、ゲートドライバー用電源電圧、或いは階調電圧生成回路用電源電圧などがある。
【００４８】
このような構成の本実施形態の表示ドライバーによれば、検出温度が属する温度範囲が切り替わった際に、電子ボリューム値が段階的に変化するようになるため、切り替えの瞬間が表示に見えにくくなり、画質の向上を実現できる。また、電子ボリューム値の切り替えの境界付近で検出温度が不安定であった場合にも、表示のチラツキを十分に抑えることが可能になる。
【００４９】
図２は本実施形態の表示ドライバーの要部を示す図である。温度センサー９０は温度検出回路９２とＡ／Ｄ変換回路９４を有する。温度検出回路９２は、アナログの検出温度電圧ＴＱを出力する。この検出温度電圧ＴＱは温度勾配を有するアナログ電圧である。温度検出回路９２からのアナログの検出温度電圧ＴＱはＡ／Ｄ変換回路９４によりＡ／Ｄ変換される。これにより、温度センサー９０はデジタル値の検出温度値ＴＡＤを出力する。また温度センサー９０はストローブ信号ＳＴＢを出力する。
【００５０】
なお温度センサー９０の実現構成としては種々の構成が考えられる。例えば温度センサー９０の温度検出回路９２は、温度勾配を有する基準電圧を生成する基準電圧生成回路と、ラダー抵抗を有し基準電圧から分割電圧を生成するヒューズ回路と、分割電圧に基づいて、アナログの検出温度電圧を生成する電圧発生回路などにより実現できる。また温度センサー９０をサーミスター等の温度検出素子を用いて実現してもよい。
【００５１】
Ｉ／Ｆ部１２０は外部デバイス（ＭＰＵ、表示コントローラー等）が発行したコマンドを受け付ける。デコード部５０は受け付けられたコマンドのデコード処理を行い、デコード結果をレジスター部４０に書き込む。
【００５２】
レジスター部４０は、ボリューム値レジスター４２、境界温度レジスター４４、分割数レジスター４６を有する。
【００５３】
ボリューム値レジスター４２は、各温度範囲に対応づけられる電子ボリューム値を記憶する。境界温度レジスター４４は温度範囲の境界温度値を記憶する。
【００５４】
例えば上述のように調整部２０は、検出温度が第１の温度範囲に属する場合には、駆動電源電圧を第１の電圧に設定する第１の電子ボリューム値を出力し、検出温度が第２の温度範囲に属する場合には、駆動電源電圧を第２の電圧に設定する第２の電子ボリューム値を出力する。この場合に第１の電子ボリューム値は第１の温度範囲に対応づけて設定される電子ボリューム値であり、第２の電子ボリューム値は第２の温度範囲に対応づけて設定される電子ボリューム値である。
【００５５】
そしてボリューム値レジスター４２は、これらの第１、第２の電子ボリューム値を可変に設定するためのレジスターである。例えば外部デバイスは、第１、第２の電子ボリューム値を設定するためのコマンドを発行し、デコード部５０がこのコマンドのデコード処理を行う。そして、デコード結果により得られた第１、第２の電子ボリューム値がボリューム値レジスター４２に書き込まれる。
【００５６】
また境界温度レジスター４４は、第１の温度範囲と第２の温度範囲の境界温度値を可変に設定するためのレジスターである。例えば外部デバイスは、温度範囲の境界温度値を設定するためのコマンドを発行し、デコード部５０がこのコマンドのデコード処理を行う。そしてデコード結果により得られた境界温度値が境界温度レジスター４４に書き込まれる。
【００５７】
また上述のように、調整部２０は、第１の電子ボリューム値と第２の電子ボリューム値の間を所与の分割数（刻み回数）で補間した複数の補間電子ボリューム値を出力する。この場合に分割数レジスター４６はこの補間の際の分割数を可変に設定するためのレジスターである。例えば外部デバイスは、電子ボリューム値の補間の分割数を設定するためのコマンドを発行し、デコード部５０がこのコマンドのデコード処理を行う。そしてデコード結果により得られた分割数が分割数レジスター４６に書き込まれる。
【００５８】
調整部２０は、温度センサー９０から検出温度値ＴＡＤとストローブ信号ＳＴＢを受ける。また、第１〜第３の温度範囲に対応づけられた第１〜第３の電子ボリューム値ＥＶ１〜ＥＶ３をボリューム値レジスター４２から読み出す。また、第１の温度範囲と第２の温度範囲の境界温度値ＴＢＬや、第２の温度範囲と第３の温度範囲の境界温度値ＴＢＨを、境界温度レジスター４４から読み出す。また電子ボリューム値の補間の分割数ＤＶＮを分割数レジスター４６から読み出す。
【００５９】
そして調整部２０は、検出温度値ＴＡＤにより求められた検出温度が属する温度範囲が第１の温度範囲から第２の温度範囲に切り替わった場合に、第１の電子ボリューム値ＥＶ１と第２の電子ボリューム値ＥＶ２の間を分割数ＤＶＮで補間した複数の電子ボリューム値ＥＶＯＬを出力する。検出温度が属する温度範囲が第２の温度範囲から第１の温度範囲に切り替わった場合も、第１の電子ボリューム値ＥＶ１と第２の電子ボリューム値ＥＶ２の間を分割数ＤＶＮで補間した複数の電子ボリューム値ＥＶＯＬを出力する。
【００６０】
また調整部２０は、検出温度が属する温度範囲が第２の温度範囲から第３の温度範囲に切り替わった場合に、第２の電子ボリューム値ＥＶ２と第３の電子ボリューム値ＥＶ３の間を分割数ＤＶＮで補間した複数の電子ボリューム値ＥＶＯＬを出力する。検出温度が属する温度範囲が第３の温度範囲から第２の温度範囲に切り替わった場合も、第２の電子ボリューム値ＥＶ２と第３の電子ボリューム値ＥＶ３の間を分割数ＤＶＮで補間した複数の電子ボリューム値ＥＶＯＬを出力する。
【００６１】
電源回路６０は、調整部２０からの電子ボリューム値ＥＶＯＬを受ける。そして、駆動電源電圧ＰＷＶを、電子ボリューム値ＥＶＯＬに応じた電圧に設定して、駆動回路７０に出力する。
【００６２】
図３に、第１〜第３の温度範囲に設定される第１〜第３の電子ボリューム値ＥＶ１〜ＥＶ３や、温度範囲の境界温度値ＴＢＬ、ＴＢＨの例を示す。
【００６３】
図３では第１、第２、第３の温度範囲は、各々、低温範囲、室温範囲、高温範囲となっている。そして低温範囲には電子ボリューム値ＥＶ１＝４０ｈが設定され、室温範囲には電子ボリューム値ＥＶ２＝８０ｈが設定され、高温範囲には電子ボリューム値ＥＶ３＝Ｃ０ｈが設定されている。これらの電子ボリューム値ＥＶ１〜ＥＶ３はボリューム値レジスター４２に設定される。また低温範囲と室温範囲の境界温度値はＴＢＬ＝１０ｈに設定され、室温範囲と高温範囲の境界温度値はＴＢＨ＝４０ｈに設定されている。これらの境界温度値ＴＢＬ、ＴＢＨは境界温度レジスター４４に設定される。本実施形態では、このように低温範囲、室温範囲、高温範囲及びそれに対応する電子ボリューム値ＥＶ１、ＥＶ２、ＥＶ３を設定することで、例えば−４０度〜１２０度というような広い温度範囲での表示ドライバーの適正な動作を実現している。なお図３では３つの温度範囲を設定する場合について説明したが、温度範囲は２つであってもよいし、４つ以上であってもよい。
【００６４】
図４は本実施形態の詳細な動作を説明するタイミングチャートである。
【００６５】
まず温度センサー９０の動作をオンにするコマンドＴＳＥＮＯＮと、表示パネル２００の表示をオンにするコマンドＤＩＳＯＮが、例えば外部デバイスにより発行される。これにより同期信号ＶＳＹＮＣが１フレームごとにアクティブになり、表示パネル２００の表示動作が開始する。また温度センサー９０の動作がオンになり、検出温度値ＴＡＤが温度センサー９０から出力される。
【００６６】
図４のＡ１に示すように、初回は１フレーム（ＶＳＹＮＣ）ごとに温度センサー９０からの検出温度値ＴＡＤがサンプリングされて計測される。またＡ２〜Ａ６に示すように、２回目以降は、６４フレーム（約１秒）に１回ずつ検出温度値ＴＡＤがサンプリングされて計測される。ここでＡ２（及びＡ３〜Ａ６）は後述する検出温度ＴＤＴの検出期間であり、本実施形態においては、他の動作期間及びタイミング等はＡ２に基づき設定される。
【００６７】
そして本実施形態では、温度センサー９０からの複数の検出温度値ＴＡＤに基づいて、検出温度ＴＤＴが求められ、検出温度ＴＤＴが属する温度範囲が判断される。例えば図４では５個の検出温度値ＴＡＤに基づいて検出温度ＴＤＴが求められている。具体的には、５個の検出温度値ＴＡＤの中央値が検出温度ＴＤＴとして求められる。
【００６８】
例えば図４のＡ１に示すようにサンプリングされた５個の検出温度値ＴＡＤに基づいて、Ｂ１に示す検出温度ＴＤＴ＝０Ｃｈが求められている。この検出温度ＴＤＴ＝０Ｃｈは、Ａ１に示す５個の検出温度値ＴＡＤの中央値である。またＡ２に示す５個の検出温度値ＴＡＤに基づいて、Ｂ２に示すように検出温度ＴＤＴ＝０Ｆｈが求められている。この検出温度ＴＤＴ＝０Ｆｈは、Ａ２に示す５個の検出温度値ＴＡＤの中央値である。同様にＡ３、Ａ４、Ａ５に示す５個の検出温度値ＴＡＤに基づいて、Ｂ３、Ｂ４、Ｂ５に示すように検出温度ＴＤＴ＝１Ｆｈ、２Ｆｈ、４Ｆｈが求められている。このように複数の検出温度値ＴＡＤの中央値を検出温度ＴＤＴとして求めれば、検出温度値ＴＡＤにノイズ等が乗って温度が誤検出されてしまう事態を抑制できる。なお複数の検出温度値ＴＡＤの平均化処理等を行って検出温度ＴＤＴを求めてもよい。
【００６９】
図４のＢ１で求められた検出温度ＴＤＴ＝０Ｃｈについては、０ｈ＜０Ｃｈ＜１０ｈの関係が成り立つ。従って、この検出温度ＴＤＴ＝０Ｃｈは図３の低温範囲（広義には第１の温度範囲）に属していると判断される。Ｂ２に示す検出温度ＴＤＴ＝０Ｆｈについても、０ｈ＜０Ｆｈ＜１０ｈの関係が成り立つ。従って、この検出温度ＴＤＴ＝０Ｆｈも低温範囲に属していると判断される。
【００７０】
そして図３に示すように低温範囲に対しては電子ボリューム値ＥＶ１＝４０ｈが設定されている。従って、調整部２０は、検出温度ＴＤＴが低温範囲に属している場合には、Ｃ１に示すようにＥＶＯＬ＝ＥＶ１＝４０ｈの電子ボリューム値を出力する。
【００７１】
一方、Ｂ３に示す検出温度ＴＤＴ＝１Ｆｈについては、１０ｈ＜１Ｆｈ＜４０ｈの関係が成り立つ。従って、この検出温度ＴＤＴ＝１Ｆｈは、図３の室温範囲（広義には第２の温度範囲）に属していると判断される。Ｂ４に示す検出温度ＴＤＴ＝２Ｆｈについても、１０ｈ＜２Ｆｈ＜４０ｈの関係が成り立つ。従って、この検出温度ＴＤＴ＝２Ｆｈも室温範囲に属していると判断される。
【００７２】
そして図３に示すように室温範囲に対しては電子ボリューム値ＥＶ２＝８０ｈが設定されている。従って、調整部２０は、検出温度ＴＤＴが室温範囲に属している場合には、Ｃ２に示すようにＥＶＯＬ＝ＥＶ２＝８０ｈの電子ボリューム値を出力する。
【００７３】
このように本実施形態では調整部２０は、検出温度ＴＤＴが低温範囲（第１の温度範囲）に属する場合には、電子ボリューム値ＥＶＯＬとし、低温範囲に対応づけられた電子ボリューム値ＥＶ１＝４０ｈ（第１の電子ボリューム値）を出力する。一方、調整部２０は、検出温度ＴＤＴが室温範囲（第２の温度範囲）に属する場合には、電子ボリューム値ＥＶＯＬとし、室温範囲に対応づけられた電子ボリューム値ＥＶ２＝８０ｈ（第２の電子ボリューム値）を出力する。
【００７４】
そして図４のＢ２、Ｂ３では、検出温度ＴＤＴが属する温度範囲が低温範囲（第１の温度範囲）から室温範囲（第２の温度範囲）に切り替わっている。この場合に本実施形態では、Ｃ３に示すように、調整部２０は補間電子ボリューム値ＥＶＯＬ＝５０ｈ、６０ｈ、７０ｈを出力する。即ち、電子ボリューム値ＥＶＯＬ＝ＥＶ１＝４０ｈと、電子ボリューム値ＥＶＯＬ＝ＥＶ２＝８０ｈを、図２の分割数レジスター４６に設定された分割数ＤＶＮ＝４で補間した複数の補間電子ボリューム値ＥＶＯＬ＝５０ｈ、６０ｈ、７０ｈを出力する。即ち、電子ボリューム値ＥＶＯＬ＝ＥＶ１とＥＶＯＬ＝ＥＶ２との差を分割数ＤＶＮの分だけ刻んだ補間電子ボリューム値を出力する。本実施形態では、補間電子ボリューム値を出力するタイミングは検出温度値ＴＡＤのサンプリングタイミングに合致させている。
【００７５】
また図４のＢ４、Ｂ５では、検出温度ＴＤＴが属する温度範囲が室温範囲から高温範囲に切り替わっている。この場合に調整部２０は、Ｃ４に示すように補間電子ボリューム値ＥＶＯＬ＝９０ｈ、Ａ０ｈ、Ｂ０ｈを出力する。即ち、電子ボリューム値ＥＶＯＬ＝ＥＶ２＝８０ｈと、電子ボリューム値ＥＶＯＬ＝ＥＶ３＝Ｃ０ｈを、分割数ＤＶＮ＝４で補間した複数の補間電子ボリューム値ＥＶＯＬ＝９０ｈ、Ａ０ｈ、Ｂ０ｈを出力する。即ち、電子ボリューム値ＥＶＯＬ＝ＥＶ２とＥＶＯＬ＝ＥＶ３との差を分割数ＤＶＮの分だけ刻んだ補間電子ボリューム値を出力する。
【００７６】
以上のように本実施形態によれば、検出温度が、各温度範囲（低温範囲、室温範囲、高温範囲）内に入っている間は、電子ボリューム値ＥＶＯＬは、各温度範囲に設定された電子ボリューム値（ＥＶ１〜ＥＶ３）から変化せず、駆動電源電圧も変化しないようになる。従って、不必要に電子ボリューム値ＥＶＯＬが変化することで、駆動電源電圧が変化し、表示の色味等が不必要に変化してしまう事態を抑制できる。これにより表示パネル２００の安定した画像表示が可能になる。
【００７７】
また、このような温度範囲を設定した場合、温度範囲の切り替えが生じると、電子ボリューム値ＥＶＯＬが大きく変化することで、駆動電源電圧が大きく変化し、切り替えの瞬間が表示に見えてしまうおそれがある。例えば図３では、低温範囲に対して電子ボリューム値ＥＶ１＝４０ｈが設定され、室温範囲に電子ボリューム値ＥＶ２＝８０ｈが設定されており、ＥＶ１とＥＶ２の差は大きい。従って、低温範囲から室温範囲への切り替えの瞬間に、電子ボリューム値が４０ｈから８０ｈというように大きく変化し、それに応じて駆動電源電圧も大きく変化してしまうと、それが表示として見えてしまうおそれがある。
【００７８】
この点、本実施形態では、温度範囲の切り替え期間においては、図４のＣ３、Ｃ４に示すように、電子ボリューム値ＥＶＯＬが段階的に変化する。例えば低温範囲から室温範囲への切り替え期間では、Ｃ３に示すように電子ボリューム値ＥＶＯＬが４０ｈ、５０ｈ、６０ｈ、７０ｈ、８０ｈというように段階的に徐々に変化する。また室温範囲から高温範囲への切り替え期間では、Ｃ４に示すように電子ボリューム値ＥＶＯＬが８０ｈ、９０ｈ、Ａ０ｈ、Ｂ０ｈ、Ｃ０ｈというように段階的に徐々に変化する。従って、駆動電源電圧も段階的に徐々に変化するようになり、切り替えの瞬間が表示として見えてしまう事態を抑制できる。
【００７９】
また例えば、検出温度が、温度範囲の境界温度（図３のＴＢＬ、ＴＢＨ）の付近において不安定に変化した場合に、電子ボリューム値ＥＶＯＬが頻繁に切り替わって、表示にチラツキが生じるおそれがある。
【００８０】
この点、本実施形態では、図４のＣ３、Ｃ４に示すように、温度範囲の境界付近では電子ボリューム値は段階的に徐々に変化する。従って、後述の図１３（Ａ）、図１３（Ｂ）で詳細に説明するように、検出温度が、温度範囲の境界温度の付近において不安定に変化した場合にも、表示のチラツキを十分に抑えることが可能になる。
【００８１】
なお本実施形態の比較例の手法として、駆動電源電圧と、検出温度により設定された最適電圧との電圧差を算出し、この電圧差に基づいて、駆動電源電圧が最適電圧になるまでの時間が所定時間になるように、駆動電源電圧の変化量を設定し、駆動電源電圧を最適電圧に近づける手法が考えられる。
【００８２】
しかしながらこの比較例の手法は、駆動電源電圧が最適電圧に対してオーバーシュートやアンダーシュートを繰り返し、最適電圧に収束するまでの時間が長くなってしまう事態を防止することを課題とする手法である。これに対して本実施形態の手法は、検出温度が境界温度の付近で不安定に変化した場合の表示のチラツキ等を抑制する手法であり、比較例の手法とは解決しようとする課題が異なる。
【００８３】
また本実施形態では、各温度範囲に設定される電子ボリューム値ＥＶ１〜ＥＶ３や、温度範囲の境界温度値ＴＢＬ、ＴＢＨや、電子ボリューム値の補間の際の分割数ＤＶＮについては、各レジスターに設定される。従って、これらの電子ボリューム値ＥＶ１〜ＥＶ３や境界温度値ＴＢＬ、ＴＢＨや分割数ＤＶＮを、ユーザーの仕様等に応じて可変に設定できるようになる。この結果、様々なユーザーの要望に対応できるようになり、ユーザーの利便性等を向上できる。
【００８４】
また本実施形態では、温度センサー９０からの複数の検出温度値ＴＡＤに基づいて、検出温度ＴＤＴが求められ、この検出温度ＴＤＴが属する温度範囲が判断される。従って、検出温度値ＴＡＤにノイズ等が乗り、誤った検出温度ＴＤＴが測定され、電子ボリューム値が予期しない変化をして、正常ではない駆動電源電圧により表示パネル２００が駆動されてしまうのを抑制できる。例えば複数の検出温度値の中央値を検出温度として求めれば、温度センサー９０からの複数の検出温度値の中に、ノイズ等によって生じた異常値が存在した場合にも、検出温度には、この異常値は反映されないようになる。従って、温度センサー９０の検出温度値として異常値が出力された場合にも、この異常値が表示パネル２００の表示に悪影響を及ぼす事態を効果的に抑制できる。
【００８５】
また図４において、温度センサー９０から複数の検出温度値ＴＡＤが出力される期間の長さをＴ１とし、補間電子ボリューム値が出力される期間の長さをＴ２としたとする。例えば、このＴ１は、図４のＡ４に示すように５個の検出温度値が温度センサー９０から出力されてサンプリングされる期間の長さである。またＴ２は、Ｃ３に示すように、補間電子ボリューム値５０ｈ、６０ｈ、７０ｈが出力される期間の長さであり、電子ボリューム値の切り替え期間の長さである。この場合に本実施形態では、例えばＴ１≧Ｔ２の関係が成り立つ。例えば図４のＡ４、Ｃ３ではＴ１＞Ｔ２の関係が成り立っている。
【００８６】
このようにすれば、検出温度値のサンプリング期間（Ｔ１）内に、電子ボリューム値の切り替え期間（Ｔ２）を収めることができる。従って、切り替え期間が長くなって、次の検出温度値のサンプリング期間まで延びてしまう事態を防止できる。これにより、切り替え期間が次のサンプリング期間まで延びてしまう事態を想定しなくても済むようになるため、調整部２０の回路構成を簡素化できると共に回路設計の容易化を図れる。
【００８７】
なお本実施形態では分割数ＤＶＮ＝４を用いてＴ１＞Ｔ２の関係が成り立つように設定した。これは、検出温度ＴＤＴの検出期間（即ち図４のＡ２）での検出温度値ＴＡＤのサンプリング回数である５よりも少ない数を、分割数ＤＶＮとして設定したことによる。
【００８８】
３．詳細な構成例
次に本実施形態の詳細な構成例及び動作について説明する。図５は調整部２０の詳細な構成例を示す図である。なお本実施形態の調整部２０は図５の構成に限定されず、その構成要素の一部を省略したり、他の構成要素を追加するなどの種々の変形実施が可能である。
【００８９】
調整部２０は、温度範囲判断部２４、出力部２６を含む。またラッチ部２２を含むことができる。
【００９０】
ラッチ部２２は、ストローブ信号ＳＴＢ、同期信号ＶＳＹＮＣを受ける。そして、これらの信号に基づくラッチ信号により、温度センサー９０からの検出温度値ＴＡＤをラッチする。そしてラッチ部２２は、今回（今回のサンプリング期間）の検出温度を示す信号ＴＤＴＣＵＲと、前回（前回のサンプリング期間）の検出温度を示す信号ＴＤＴＢＦＲを、温度範囲判断部２４に出力する。
【００９１】
温度範囲判断部２４は、検出温度が属する温度範囲を判断する。そして出力部２６は、温度範囲判断部２４による前回の期間での判断結果と今回の期間での判断結果に基づいて、検出温度が属する温度範囲が変化したか否かを判断する。例えば前回の期間での判断結果と今回の期間での判断結果の比較処理等を行うことで、検出温度が属する温度範囲が変化したか否かを判断する。そして出力部２６は、検出温度が属する温度範囲が変化したとの判断した場合に、第１の電子ボリューム値と第２の電子ボリューム値の間の補間電子ボリューム値を出力する。即ち図４のＣ３、Ｃ４に示すような補間電子ボリューム値を、温度範囲（電子ボリューム値）の切り替え期間において出力する。
【００９２】
具体的には、温度範囲判断部２４は、ラッチ部２２からの検出温度信号ＴＤＴＣＵＲ、ＴＤＴＢＦＲを受ける。また境界レジスター４４からの境界温度値ＴＢＬ、ＴＢＨを受ける。そして温度範囲判断部２４は、検出温度が属する温度範囲の判断処理等を行い、ストローブ信号ＳＴＢ６４Ｆ、ＳＴＢＭＰを、出力部２６（加算部３０）に出力する。ここでＳＴＢ６４Ｆは６４フレーム（約１秒）に１回ずつアクティブになるストローブ信号である。また温度範囲判断部２４は、今回の検出温度が属する温度範囲を示すフラグ信号ＦＬＣＵＲ１〜ＦＬＣＵＲ３と、前回の検出温度が属する温度範囲を示すフラグ信号ＦＬＢＦＲ１〜ＦＬＢＦＲ３を、出力部２６（演算部２８）に出力する。
【００９３】
出力部２６は、演算部２８、加算部３０、セレクター３２を含む。演算部２８は、温度範囲判断部２４からの温度範囲のフラグ信号ＦＬＣＵＲ１〜ＦＬＣＵＲ３、ＦＬＢＦＲ１〜ＦＬＢＦＲ３を受ける。また分割数レジスター４６からの分割数ＤＶＮと、ボリューム値レジスター４２からの電子ボリューム値ＥＶ１〜ＥＶ３を受ける。そして演算部２８は、これらの信号やレジスター値に基づいて演算処理を行い、電子ボリューム値の切り替え期間におけるカウント値信号ＣＮＴと、切り替え期間における電子ボリューム値の変化幅信号ＭＶを加算部３０に出力する。
【００９４】
加算部３０は、ボリューム値レジスター４２から、各温度範囲に設定される電子ボリューム値ＥＶ１〜ＥＶ３を受ける。また温度範囲判断部２４からストローブ信号ＳＴＢ６４Ｆ、ＳＴＢＭＰを受けると共に、演算部２８からカウント値信号ＣＮＴ、変化幅信号ＭＶを受ける。そして、電子ボリューム値の切り替え期間において、各温度範囲に設定される電子ボリューム値ＥＶ１〜ＥＶ３に対して、カウント値信号ＣＮＴと変化幅信号ＭＶにより特定される変化値を加算する処理を行う。そして、加算処理により求められた電子ボリューム値ＥＶＣＡＬをセレクター３２に出力する。
【００９５】
セレクター３２は、電子ボリューム値の自動調整が有効に設定されている場合（後述の図１１）には、加算部３０からのＥＶＣＡＬを選択して、電子ボリューム値ＥＶＯＬとして電源回路６０に出力する。一方、セレクター３２は、電子ボリューム値の自動調整が無効に設定されている場合（後述の図１２）には、ボリューム値レジスター４２からの電子ボリューム値ＥＶ２を、電子ボリューム値ＥＶＯＬとして電源回路６０に出力する。
【００９６】
以上のように本実施形態の表示ドライバーは、電子ボリューム値ＥＶ１〜ＥＶ３（広義には第１〜第３の電子ボリューム値）を可変に設定するためのボリューム値レジスター４２と、境界温度値ＴＢＬ、ＴＢＨを可変に設定するための境界温度レジスター４４と、分割数ＤＶＮを可変に設定するための分割数レジスター４６を含む。
【００９７】
そして調整部２０の温度範囲判断部２４は、境界温度レジスター４４に設定される境界温度値ＴＢＬ、ＴＢＨに基づいて、検出温度が属する温度範囲を判断する。また出力部２６の演算部２８は、温度範囲判断部２４による今回の期間での判断結果（ＦＬＣＵＲ１〜ＦＬＣＵＲ３）及び前回の期間での判断結果（ＦＬＢＦＲ１〜ＦＬＢＦＲ３）と、分割数レジスター４６に設定される分割数ＤＶＮとに基づいて、電子ボリューム値の切り替え期間におけるカウント値信号ＣＮＴと、切り替え期間における電子ボリューム値の変化幅信号ＭＶを出力する。そして出力部２６の加算部３０は、ボリューム値レジスター４２に設定される電子ボリューム値ＥＶ１〜ＥＶ３と、演算部２８からのカウント値信号ＣＮＴ及び変化幅信号ＭＶとに基づいて、加算処理を行う。そして、切り替え期間において、電子ボリューム値ＥＶ１とＥＶ２（或いはＥＶ２とＥＶ３）の間を分割数ＤＶＮで補間した複数の補間電子ボリューム値ＥＶＣＡＬを出力する。
【００９８】
図６は電源回路６０の構成例である。なお図６では、電源回路６０のうち、電子ボリューム値に関係する回路部分だけを示し、他の回路部分（例えば昇圧回路、レギュレーター等）については記載を省略している。
【００９９】
電源回路６０には、抵抗ラダー回路６２とセレクター６４が設けられる。抵抗ラダー回路６２は、基準電源電圧ＶＲＥＧ（例えば３．５Ｖ）のノードと、低電位側電源ＶＳＳのノードとの間に直列に接続された複数の抵抗Ｒ１〜Ｒｎを有する。そして抵抗ラダー回路６２は、抵抗Ｒ１〜Ｒｎの各タップノードに、抵抗による各分割電圧を出力する。
【０１００】
セレクター６４は、抵抗ラダー回路６２からの複数の分割電圧の中から、電子ボリューム値ＥＶＯＬにより選択された電圧を、駆動電源電圧ＰＷＶとして出力する。例えば電子ボリューム値ＥＶＯＬが、高電位の駆動電源電圧ＰＷＶの出力を指示する値になっていたとする。この場合には、セレクター６４は、抵抗ラダー回路６２からの複数の分割電圧の中から、電子ボリューム値ＥＶＯＬに対応する高電位側の分割電圧を選択して、駆動電源電圧ＰＷＶとして出力する。一方、電子ボリューム値ＥＶＯＬが、低電位の駆動電源電圧ＰＷＶの出力を指示する値になっていたとする。この場合には、セレクター６４は、抵抗ラダー回路６２からの複数の分割電圧の中から、電子ボリューム値ＥＶＯＬに対応する低電位側の分割電圧を選択して、駆動電源電圧ＰＷＶとして出力する。
【０１０１】
４．詳細な動作
次に本実施形態の詳細な動作について説明する。図７は本実施形態の詳細な動作を説明するタイミングチャートである。
【０１０２】
図７のＤ１に示す期間がサンプリング期間であり、本実施形態では、１回のサンプリング期間において、温度センサー９０からの５個の検出温度値ＴＡＤがサンプリングされて、図５のラッチ部２２にラッチされる。そして、これらの５個の検出温度値ＴＡＤに基づいて当該サンプリング期間での検出温度ＴＤＴが求められる。具体的には５個の検出温度値ＴＡＤの中央値が検出温度ＴＤＴとして求められる。
【０１０３】
そしてＤ２では、今回のサンプリング期間の検出温度はＴＤＴ＝１０ｈと判断されている。このため、ラッチ部２２は、Ｄ３に示すように、今回のサンプリング期間の検出温度を示す信号としてＴＤＴＣＵＲ＝１０ｈを温度範囲判断部２４に出力する。なお、次回のサンプリング期間では、ラッチ部２２は、Ｄ４に示すように、前回のサンプリング期間の検出温度を示す信号としてＴＤＴＢＦＲ＝１０ｈを出力することになる。
【０１０４】
これらの信号ＴＤＴＣＵＲ、ＴＤＴＢＦＲを受けた温度範囲判断部２４は、検出温度が属する温度範囲を判断する。そして、検出温度が属する温度範囲を示すフラグ信号ＦＬＣＵＲ１〜ＦＬＣＵＲ３、ＦＬＢＦＲ１〜ＦＬＢＦＲ３を、出力部２６の演算部２８に出力する。ここで、ＦＬＣＵＲ１、ＦＬＣＵＲ２、ＦＬＣＵＲ３は、今回のサンプリング期間（以下、「今回のサンプリング期間」を、適宜、単に「今回」と記載する）の検出温度が、各々、図３の低温範囲、室温範囲、高温範囲に属することを示すフラグ信号である。またＦＬＢＦＲ１、ＦＬＢＦＲ２、ＦＬＢＦＲ３は、前回のサンプリング期間（以下、「前回のサンプリング期間」を適宜、単に「前回」と記載する）の検出温度が、各々、図３の低温範囲、室温範囲、高温範囲に属することを示すフラグ信号である。
【０１０５】
例えば今回の検出温度ＴＤＴ＝１０ｈは低温範囲に属すると判断され、Ｄ５では、低温範囲に対応するフラグ信号ＦＬＣＵＲ１がアクティブ（Ｈレベル）になっている。この場合に、次回のサンプリング期間では、Ｄ６に示すようにフラグ信号ＦＬＢＦＲ１がアクティブになる。また後述するように図７では温度範囲が低温範囲から室温範囲に切り替わっているため、次回のサンプリング期間では、Ｄ７に示すように室温範囲に対応するフラグ信号ＦＬＣＵＲ２がアクティブになる。
【０１０６】
ストローブ信号ＳＴＢＭＰは、Ｄ８に示すように、温度範囲の切り替えが行われた場合にアクティブになる信号である。このストローブ信号ＳＴＢＭＰは加算部３０に出力される。
【０１０７】
図７の信号ＥＶＣＵＲ、ＥＶＢＦＲ、ＩＮＣ、ＤＥＣ、ＤＩＦは、演算部２８の内部信号である。ＥＶＣＵＲは今回の電子ボリューム値を示す信号であり、ＥＶＢＦＲは前回の電子ボリューム値を示す信号である。ＩＮＣは、温度範囲の切り替え期間において電子ボリューム値を増加させることを指示する信号であり、ＤＥＣは、電子ボリューム値を減少させることを指示する信号である。ＤＩＦは、温度範囲の切り替え後の電子ボリューム値（ＥＶ２）と温度範囲の切り替え前の電子ボリューム値（ＥＶ１）の差分値を示す信号である。
【０１０８】
図７では、検出温度ＴＤＴが１０ｈから１１ｈに変化したため、検出温度ＴＤＴが属する温度範囲が低温範囲から室温範囲に切り替わったと判断される。これにより、Ｄ８に示すようにストローブ信号ＳＴＢＭＰがアクティブになる。またＤ９に示すように信号ＩＮＣがアクティブになって、切り替え期間において電子ボリューム値を増加させることが指示される。またＤ１０に示すように、差分値はＤＩＦ＝ＥＶ２−ＥＶ１＝８０ｈ−４０ｈ＝４０ｈに設定される。
【０１０９】
図８（Ａ）は、図７のように検出温度が属する温度範囲が低温範囲から室温範囲に切り替わった場合において、切り替え期間における分割数がＤＶＮ＝４であるときのタイミングチャートである。この場合には、切り替え期間において電子ボリューム値ＥＶＯＬは増加することになるため、図８（Ａ）のＥ１に示すように信号ＩＮＣがアクティブになる。そして演算部２８は、Ｅ２、Ｅ３に示すように、０からＤＶＮ＝４までインクリメントするカウント値信号ＣＮＴと、電子ボリューム値ＥＶＯＬの変化幅信号ＭＶ＝（ＥＶ２−ＥＶ１）／ＤＶＮ＝（８０ｈ−４０ｈ）／４＝１０ｈを出力する。即ち、電子ボリューム値ＥＶＯＬの変化幅は分割数ＤＶＮにより可変に設定される。そして、Ｅ４に示すように４０ｈ、５０ｈ、６０ｈ、７０ｈ、８０ｈというように段階的に徐々に増加する電子ボリューム値ＥＶＯＬが出力されるようになる。この場合に５０ｈ、６０ｈ、７０ｈが、切り替え期間において出力される複数の補間電子ボリューム値に相当する。
【０１１０】
図８（Ｂ）は、検出温度が属する温度範囲が低温範囲から室温範囲に切り替わった場合において、切り替え期間における分割数がＤＶＮ＝８であるときのタイミングチャートである。この場合には、演算部２８は、Ｅ５、Ｅ６に示すように、０からＤＶＮ＝８までインクリメントするカウント値信号ＣＮＴと、電子ボリューム値ＥＶＯＬの変化幅信号ＭＶ＝（ＥＶ２−ＥＶ１）／ＤＶＮ＝（８０ｈ−４０ｈ）／８＝０８ｈを出力する。これによりＥ７に示すように４０ｈ、４８ｈ、５０ｈ、５８ｈ、６０ｈ、６８ｈ、７０ｈ、７８ｈ、８０ｈというように段階的に徐々に増加する電子ボリューム値ＥＶＯＬが出力されるようになる。この場合に４８ｈ、５０ｈ、５８ｈ、６０ｈ、６８ｈ、７０ｈ、７８ｈが、切り替え期間において出力される複数の補間電子ボリューム値に相当する。
【０１１１】
図８（Ｃ）は、検出温度が属する温度範囲が低温範囲から室温範囲に切り替わった場合において、切り替え期間における分割数がＤＶＮ＝１６であるときのタイミングチャートである。この場合には、演算部２８は、Ｅ８、Ｅ９に示すように、０からＤＶＮ＝１６までインクリメントするカウント値信号ＣＮＴと、電子ボリューム値ＥＶＯＬの変化幅信号ＭＶ＝（ＥＶ２−ＥＶ１）／ＤＶＮ＝（８０ｈ−４０ｈ）／１６＝０４ｈを出力する。これによりＥ１０に示すように４０ｈ、４４ｈ、４８ｈ、４Ｃｈ・・・・７４ｈ、７８ｈ、７Ｃｈ、８０ｈというように段階的に徐々に増加する電子ボリューム値ＥＶＯＬが出力されるようになる。
【０１１２】
図９も本実施形態の詳細な動作を説明するタイミングチャートである。前述の図７は、検出温度が属する温度範囲が低温範囲から室温範囲に切り替わった場合のタイミングチャートであるのに対して、図９は、検出温度が属する温度範囲が高温範囲から室温範囲に切り替わった場合のタイミングチャートである。
【０１１３】
図９のＦ１〜Ｆ１０は図７のＤ１〜Ｄ１０に対応するものであり、詳細な説明は省略する。例えば図９のＦ２に示す今回の検出温度ＴＤＴ＝４１ｈは、高温範囲に属すると判断され、Ｆ５では高温範囲に対応するフラグ信号ＦＬＣＵＲ３がアクティブになっている。次回のサンプリング期間では、Ｆ６に示すようにフラグ信号ＦＬＢＦＲ３がアクティブになる。また温度範囲が高温範囲から室温範囲に切り替わったため、次回のサンプリング期間では、Ｆ７に示すように室温範囲に対応するフラグ信号ＦＬＣＵＲ２がアクティブになる。また、Ｆ９に示すように信号ＤＥＣがアクティブになって、切り替え期間において電子ボリューム値を減少させることが指示される。またＦ１０に示すように、差分値はＤＩＦ＝ＥＶ３−ＥＶ２＝Ｃ０ｈ−８０ｈ＝４０ｈに設定される。
【０１１４】
図１０（Ａ）、図１０（Ｂ）、図１０（Ｃ）は、図９のように検出温度が属する温度範囲が高温範囲から室温範囲に切り替わった場合において、切り替え期間における分割数が、各々、ＤＶＮ＝４、８、１６であるときのタイミングチャートである。
【０１１５】
図１０（Ａ）では、Ｇ１に示すように信号ＤＥＣがアクティブになり、Ｇ２、Ｇ３に示すように、０からＤＶＮ＝４まで変化するカウント値信号ＣＮＴと、変化幅信号ＭＶ＝１０ｈが出力される。これによりＧ４に示すようにＣ０ｈ、Ｂ０ｈ、Ａ０ｈ、９０ｈ、８０ｈというように段階的に徐々に減少する電子ボリューム値ＥＶＯＬが出力されるようになる。
【０１１６】
図１０（Ｂ）では、Ｇ５、Ｇ６に示すように、０からＤＶＮ＝８まで変化するカウント値信号ＣＮＴと、変化幅信号ＭＶ＝０８ｈが出力される。これによりＧ７に示すようにＣ０ｈ、Ｂ８ｈ、Ｂ０ｈ、Ａ８ｈ、Ａ０ｈ、９８ｈ、９０ｈ、８８ｈ、８０ｈというように段階的に徐々に減少する電子ボリューム値ＥＶＯＬが出力されるようになる。
【０１１７】
図１０（Ｃ）では、Ｇ８、Ｇ９に示すように、０からＤＶＮ＝１６まで変化するカウント値信号ＣＮＴと、変化幅信号ＭＶ＝０４ｈが出力される。これによりＧ１０に示すようにＣ０ｈ、ＢＣｈ、Ｂ８ｈ、Ｂ４ｈ・・・・・９０ｈ、８Ｃｈ、８８ｈ、８４ｈ、８０ｈというように段階的に徐々に減少する電子ボリューム値ＥＶＯＬが出力されるようになる。
【０１１８】
図１１は、電子ボリューム値の自動調整を行う場合の本実施形態の動作を説明するフローチャートである。
【０１１９】
まず、例えば外部デバイスが、温度センサー９０による温度検出をオンにするＴＳＥＮＯＮコマンドを発行する（ステップＳ１）。このＴＳＥＮＯＮコマンドはＩ／Ｆ部１２０により受け付けられ、デコード部５０によりデコード処理される。そして調整部２０は、例えば１秒間のウェイトの後（ステップＳ２）、温度センサー９０からの検出温度値を取得する（ステップＳ３）。そして、検出温度が属する温度範囲が変移したか否かを判断する（ステップ４）。例えば、検出温度が属する温度範囲が、低温範囲から室温範囲、室温範囲から高温範囲、高温範囲から室温範囲、或いは室温範囲から低温範囲に変移したか否かを判断する。そして温度範囲の変移が無かった場合にはステップＳ２に戻る。一方、温度範囲の変移があった場合には、調整部２０は、電子ボリューム値ＥＶ１〜ＥＶ３、分割数ＤＶＮ等の設定に応じて、電子ボリューム値の自動調整を実行する（ステップＳ５）。即ち図７〜図１０（Ｃ）等で説明した電子ボリューム値の自動調整の処理を実行する。
【０１２０】
図１２は、電子ボリューム値の自動調整を行わない場合の本実施形態の動作を説明するフローチャートである。
【０１２１】
まず、例えば外部デバイスが、ＴＳＥＮＯＮコマンドを発行する（ステップＳ１１）。次に外部デバイスは、例えば１秒間のウェイトの後（ステップＳ１２）、検出温度値の読み出しコマンドであるＲＤＴＳＥＮコマンドを発行して、温度センサー９０の検出温度値を読み出す（ステップＳ１３）。これらのＴＳＥＮＯＮコマンド、ＲＤＴＳＥＮコマンドはＩ／Ｆ部１２０により受け付けられ、デコード部５０によりデコード処理される。そして温度センサー９０の検出温度値はＩ／Ｆ部１２０を介して外部デバイスにより読み出される。次に外部デバイスは、読み出された検出温度値に基づいて電子ボリューム値の調整が必要か否かを判断し、（ステップＳ１４）、必要ではないと判断した場合にはステップＳ１２に戻る。一方、必要であると判断した場合には、外部デバイスは、電子ボリューム値ＥＶ２を設定するコマンドで電子ボリューム値を再調整する（ステップＳ１５）。即ち、この場合には図５のセレクター３２が、ボリューム値レジスター４２からの電子ボリューム値ＥＶ２を選択する。そして外部デバイスが、ＥＶ２として所望の電子ボリューム値を設定することで、電子ボリューム値の再調整が実行される。
【０１２２】
図１３（Ａ）、図１３（Ｂ）は、本実施形態の電子ボリューム値、駆動電源電圧の調整手法の説明図である。
【０１２３】
図１３（Ａ）において、ＴＢＬは、低温範囲と高温範囲の境界温度値であり、この境界温度値ＴＢＬを境界として、電子ボリューム値の切り替えが行われる。そして図１３（Ａ）では、この境界温度値ＴＢＬの付近で検出温度が上下に変動している。
【０１２４】
例えば期間ＴＰ１（サンプリング期間）では、温度センサー９０からの５個の検出温度値ＴＡＤがサンプリングされて、５個の検出温度値ＴＡＤの中央値が検出温度ＴＤＴ１として求められている。同様に期間ＴＰ２、ＴＰ３、ＴＰ４、ＴＰ５、ＴＰ６、ＴＰ７では、各期間での５個の検出温度値ＴＡＤの中央値が、検出温度ＴＤＴ２、ＴＤＴ３、ＴＤＴ４、ＴＤＴ５、ＴＤＴ６、ＴＤＴ７として求められている。
【０１２５】
そして期間ＴＰ１の検出温度ＴＤＴ１は境界温度値ＴＢＬよりも低く、次の期間ＴＰ２の検出温度ＴＤＴ２は境界温度値ＴＢＬよりも高い。また期間ＴＰ３の検出温度ＴＤＴ３は境界温度値ＴＢＬよりも低く、次の期間ＴＰ４の検出温度ＴＤＴ４は境界温度値ＴＢＬよりも高い。また期間ＴＰ５、ＴＰ６の検出温度ＴＤＴ５、ＴＤＴ６は境界温度値ＴＢＬよりも高く、次の期間ＴＰ７の検出温度ＴＤＴ７は境界温度値ＴＢＬよりも低い。このように図１３（Ａ）では検出温度が境界温度値ＴＢＬの付近で上下に変動している。
【０１２６】
そして、境界温度値ＴＢＬ（或いはＴＢＨ）の付近で検出温度が不安定に変動する場合に、本実施形態の手法を採用しないと、電子ボリューム値が頻繁に切り替わって、駆動電源電圧が頻繁に切り替わることで、表示にチラツキが生じてしまう。例えば図３では、低温範囲に対しては電子ボリューム値ＥＶ１＝４０ｈが設定され、室温範囲に対しては電子ボリューム値ＥＶ２＝８０ｈが設定されている。従って、図１３（Ａ）のように境界温度値ＴＢＬの付近で検出温度が不安定に変動すると、電子ボリューム値が、ＥＶ１＝４０ｈからＥＶ２＝８０ｈに一気に切り替わったり、ＥＶ２＝８０ｈからＥＶ１＝４０ｈに一気に切り替わってしまう。これにより、駆動電源電圧が大きく変化し、表示にチラツキが生じてしまう。
【０１２７】
この点、本実施形態の手法を採用すれば、図１３（Ｂ）に示すように、電子ボリューム値の切り替え期間において、電子ボリューム値が段階的に増加又は減少するようになり、駆動電源電圧も段階的に増加又は減少するようになる。
【０１２８】
例えば期間ＴＰ１の検出温度ＴＤＴ１は低温範囲に属し、期間ＴＰ２の検出温度ＴＤＴ２は室温範囲に属している。従って、期間ＴＰ１からＴＰ２になると、温度範囲が切り替わったと判断され、図１３（Ｂ）に示すように、電子ボリューム値、駆動電源電圧は、各々、ＥＶ１、ＰＷＶ１からＥＶ２、ＰＷＶ２へと段階的に増加する。ここでＥＶ１、ＥＶ２（第１、第２の電子ボリューム値）は、各々、低温範囲、室温範囲に設定された電子ボリューム値である。またＰＷＶ１、ＰＷＶ２（第１、第２の電圧）は、各々、電子ボリューム値がＥＶ１、ＥＶ２に設定されたときの駆動電源電圧である。またＥＶＢＤ、ＰＷＶＢＤは境界値であり、例えばＥＶＢＤ＝（ＥＶ１＋ＥＶ２）／２、ＰＷＶＢＤ＝（ＰＷＶ１＋ＰＷＶ２）／２である。
【０１２９】
また期間ＴＰ２の検出温度ＴＤＴ２は室温範囲に属し、期間ＴＰ３の検出温度ＴＤＴ３は低温範囲に属している。従って、期間ＴＰ２からＴＰ３になると、温度範囲が切り替わったと判断され、電子ボリューム値、駆動電源電圧は、各々、ＥＶ２、ＰＷＶ２からＥＶ１、ＰＷＶ１に段階的に減少する。
【０１３０】
また期間ＴＰ３の検出温度ＴＤＴ３は低温範囲に属し、期間ＴＰ４の検出温度ＴＤＴ４は室温範囲に属している。従って、期間ＴＰ３からＴＰ４になると、温度範囲が切り替わったと判断され、電子ボリューム値、駆動電源電圧は、各々、ＥＶ１、ＰＷＶ１からＥＶ２、ＰＷＶ２に段階的に増加する。
【０１３１】
また期間ＴＰ４、ＴＰ５、ＴＰ６の検出温度ＴＤＴ４、ＴＤＴ５、ＴＤＴ６は全て室温範囲に属している。従って、期間ＴＰ４からＴＰ５になった場合や、期間ＴＰ５からＴＰ６になった場合に、温度範囲は切り替わっていないと判断され、電子ボリューム値、駆動電源電圧は、ＥＶ２、ＰＷＶ２から変化せず一定になる。そして期間ＴＰ６から期間ＴＰ７になると、温度範囲が切り替わったと判断され、電子ボリューム値、駆動電源電圧は、各々、ＥＶ２、ＰＷＶ２からＥＶ１、ＰＷＶ１に段階的に減少する。
【０１３２】
即ち図１３（Ａ）では、期間ＴＰ１（第１の期間）において温度センサー９０から出力される５個の検出温度値ＴＡＤ（複数の第１の検出温度値）に基づき求められた検出温度ＴＤＴ１（第１の検出温度）が、低温範囲（第１の温度範囲）に属している。また期間ＴＰ２（第２の期間）におい温度センサー９０から出力される５個の検出温度値ＴＡＤ（複数の第２の検出温度値）に基づき求められた検出温度ＴＤＴ２（第２の検出温度）が、室温範囲（第２の温度範囲）に属している。
【０１３３】
この場合に本実施形態では、期間ＴＰ１からＴＰ２になって、検出温度が属する温度範囲が低温範囲から室温範囲に切り替わったと判断されると、この切り替わり期間において、調整部２０は、電子ボリューム値ＥＶ１とＥＶ２を補間した複数の補間電子ボリューム値を出力する。そして、この補間電子ボリューム値を受けた電源回路６０は、電圧ＰＷＶ１（第１の電圧）と電圧ＰＷＶ２（第２の電圧）を補間した複数の補間電圧を、駆動電源電圧として供給する。
【０１３４】
このように本実施形態では、境界温度値ＴＢＬの付近で検出温度が不安定に変化した場合にも、温度範囲の切り替わり期間において電子ボリューム値や駆動電源電圧が段階的に増加又は減少するようになる。従って、表示のチラツキを十分に抑えることができる。また期間ＴＰ５、ＴＰ６のように、検出温度が、１つの温度範囲に属している間は、電子ボリューム値は同じ値から変化せず、駆動電源電圧も同じ電圧から変化せずに一定になる。従って、温度変動が少ない場合に、不必要に電子ボリューム値が変化することで、駆動電源電圧が変化し、表示の色味等が不必要に変化してしまう事態についても抑制できる。
【０１３５】
５．電子機器
図１４に、本実施形態の表示ドライバー１９０を含む電子機器の構成例を示す。電子機器は、処理部３００、記憶部３１０、操作部３２０、入出力部３３０、表示ドライバー１９０、表示パネル２００を含む。表示ドライバー１９０と表示パネル２００とにより電気光学装置が構成される。なお本実施形態の電子機器は図１４の構成に限定されず、その構成要素の一部を省略したり、他の構成要素を追加するなどの種々の変形実施が可能である。また本実施形態が適用される電子機器としては、車載機器（運転補助装置、インパネのメーターユニット、カーナビゲーション装置等）、携帯情報端末（スマートフォン、携帯電話機等）、プロジェクター、デジタルカメラ、ビデオカメラ、プリンター、電子手帳、電子辞書、テレビ、ＨＭＤ、或いは情報処理装置（ＰＣ、ＰＤＡ）などの種々の機器を想定できる。
【０１３６】
処理部３００は、電子機器の各種の制御処理や演算処理を行うものであり、例えばＭＰＵ等のプロセッサーや表示コントローラーなどのＡＳＩＣなどにより実現される。処理部３００が表示ドライバー１９０に対する各種のコマンドを発行することで、表示パネル２００での画像の表示動作が実現される。
【０１３７】
記憶部３１０は処理部３００等の記憶領域となるものであり、例えばＤＲＡＭ、ＳＲＡＭ、或いはＨＤＤ等により実現される。例えば表示パネル２００に表示される画像のデータは記憶部３１０に記憶される。操作部３２０はユーザーが各種の操作情報を入力するためのものである。入出力部３３０は、外部との間でデータ等のやり取りを行うものであり、有線のインターフェース（ＵＳＢ等）や無線の通信部等により実現される。
【０１３８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（第１、第２、第３の温度範囲等）と共に記載された用語（低温範囲、室温範囲、高温範囲等）は、明細書又は図面のいかなる箇所においても、その異なる用語に置き換えることができる。また、表示ドライバーや電気光学装置や電子機器の構成や動作等も、本実施形態で説明したものに限定されず、種々の変形実施が可能である。
【符号の説明】
【０１３９】
１０  制御部、２０  調整部、２２  ラッチ部、２４  温度範囲判断部、２８  演算部、
３０  加算部、３２  セレクター、４０  レジスター部、４２  ボリューム値レジスター、
４４  境界温度レジスター、４６  分割数レジスター、５０  デコード部、
５２  タイミング制御部、６０  電源回路、６２  抵抗ラダー回路、６４  セレクター、
７０  駆動回路、７２  ソースドライバー、７４  ゲートドライバー、
７６  Ｄ／Ａ変換回路、７８  階調電圧生成回路、９０  温度センサー、
９２  温度検出回路、９４  Ａ／Ｄ変換回路、１００  発振回路、１２０  Ｉ／Ｆ部、
１９０  表示ドライバー、２００  表示パネル、３００  処理部、３１０  記憶部、
３２０  操作部、３３０  入出力部
【図１】
2015176120.tif 000003
【図２】
2015176120.tif 000004
【図３】
2015176120.tif 000005
【図４】
2015176120.tif 000006
【図５】
2015176120.tif 000007
【図６】
2015176120.tif 000008
【図７】
2015176120.tif 000009
【図８】
2015176120.tif 000010
【図９】
2015176120.tif 000011
【図１０】
2015176120.tif 000012
【図１１】
2015176120.tif 000013
【図１２】
2015176120.tif 000014
【図１３】
2015176120.tif 000015
【図１４】
2015176120.tif 000016
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
温度センサーを用いて求められた検出温度に基づいて電子ボリューム値を出力する調整部と、
前記電子ボリューム値に基づいて駆動電源電圧を供給する電源回路と、
前記駆動電源電圧に基づいて表示パネルを駆動する駆動回路と、
を含み、
前記調整部は、
前記検出温度が第１の温度範囲に属する場合には、前記駆動電源電圧を第１の電圧に設定する第１の電子ボリューム値を出力し、
前記検出温度が第２の温度範囲に属する場合には、前記駆動電源電圧を第２の電圧に設定する第２の電子ボリューム値を出力し、
前記検出温度が属する温度範囲が前記第１の温度範囲から前記第２の温度範囲に切り替わった場合に、前記駆動電源電圧を、前記第１の電圧と前記第２の電圧の間の補間電圧に設定する補間電子ボリューム値を出力することを特徴とする表示ドライバー。
【請求項２】
請求項１において、
前記調整部は、
前記検出温度が属する温度範囲が前記第１の温度範囲から前記第２の温度範囲に切り替わった場合に、前記第１の電子ボリューム値と前記第２の電子ボリューム値の間を所与の分割数で補間した複数の前記補間電子ボリューム値を出力することを特徴とする表示ドライバー。
【請求項３】
請求項２において、
前記分割数を可変に設定するための分割数レジスターを含むことを特徴とする表示ドライバー。
【請求項４】
請求項１乃至３のいずれかにおいて、
前記調整部は、
前記検出温度が属する温度範囲を判断する温度範囲判断部と、
前記温度範囲判断部による今回の期間での判断結果及び前回の期間での判断結果に基づいて、前記検出温度が属する温度範囲が変化したか否かを判断し、前記温度範囲が変化したと判断した場合に、前記第１の電子ボリューム値と前記第２の電子ボリューム値の間の前記補間電子ボリューム値を出力する出力部と、
を含むことを特徴とする表示ドライバー。
【請求項５】
請求項１乃至４のいずれかにおいて、
前記調整部は、
前記温度センサーからの複数の検出温度値に基づいて、前記検出温度を求め、前記検出温度が属する温度範囲を判断することを特徴とする表示ドライバー。
【請求項６】
請求項５において、
前記温度センサーから前記複数の検出温度値が出力される期間の長さをＴ１とし、前記補間電子ボリューム値が出力される期間の長さをＴ２とした場合に、Ｔ１≧Ｔ２であることを特徴とする表示ドライバー。
【請求項７】
請求項１乃至６のいずれかにおいて、
前記第１の電子ボリューム値と前記第２の電子ボリューム値を可変に設定するためのボリューム値レジスターを含むことを特徴とする表示ドライバー。
【請求項８】
請求項１乃至７のいずれかにおいて、
前記第１の温度範囲と前記第２の温度範囲の境界温度を可変に設定するための境界温度レジスターを含むことを特徴とする表示ドライバー。
【請求項９】
請求項１において、
前記第１の電子ボリューム値と前記第２の電子ボリューム値を可変に設定するためのボリューム値レジスターと、
前記第１の温度範囲と前記第２の温度範囲の境界温度値を可変に設定するための境界温度レジスターと、
分割数を可変に設定するための分割数レジスターとを含み、
前記調整部は、
前記境界温度レジスターに設定される前記境界温度値に基づいて、前記検出温度が属する温度範囲を判断する温度範囲判断部と、
前記温度範囲判断部による今回の期間での判断結果及び前回の期間での判断結果と、前記分割数レジスターに設定される前記分割数とに基づいて、前記電子ボリューム値の切り替え期間におけるカウント値信号と、前記切り替え期間における前記電子ボリューム値の変化幅信号を出力する演算部と、
前記ボリューム値レジスターに設定される前記第１の電子ボリューム値及び前記第２の電子ボリューム値と、前記演算部からの前記カウント値信号及び前記変化幅信号とに基づいて、加算処理を行って、前記切り替え期間において、前記第１の電子ボリューム値と前記第２の電子ボリューム値の間を前記分割数で補間した複数の前記補間電子ボリューム値を出力する加算部と、
を含むことを特徴とする表示ドライバー。
【請求項１０】
請求項１乃至９のいずれかにおいて、
第１の期間において前記温度センサーから出力される複数の第１の検出温度値に基づき求められた第１の検出温度が第１の温度範囲に属し、第２の期間において前記温度センサーから出力される複数の第２の検出温度値に基づき求められた第２の検出温度が第２の温度範囲に属する場合に、
前記電源回路は、
前記第１の電圧と前記第２の電圧を補間した複数の前記補間電圧を、前記駆動電源電圧として供給することを特徴とする表示ドライバー。
【請求項１１】
請求項１乃至１０のいずれかに記載の表示ドライバーを含むことを特徴とする電気光学装置。
【請求項１２】
請求項１乃至１０のいずれかに記載の表示ドライバーを含むことを特徴とする電子機器。
【手続補正２】
【補正対象書類名】明細書
【補正対象項目名】００２１
【補正方法】変更
【補正の内容】
【００２１】
また本発明の一態様では、前記第１の温度範囲と前記第２の温度範囲の境界温度を可変に設定するための境界温度レジスターを含んでもよい。
【手続補正３】
【補正対象書類名】明細書
【補正対象項目名】０１１９
【補正方法】変更
【補正の内容】
【０１１９】
まず、例えば外部デバイスが、温度センサー９０による温度検出をオンにするＴＳＥＮＯＮコマンドを発行する（ステップＳ１）。このＴＳＥＮＯＮコマンドはＩ／Ｆ部１２０により受け付けられ、デコード部５０によりデコード処理される。そして調整部２０は、例えば１秒間のウェイトの後（ステップＳ２）、温度センサー９０からの検出温度値を取得する（ステップＳ３）。そして、検出温度が属する温度範囲が変移したか否かを判断する（ステップＳ４）。例えば、検出温度が属する温度範囲が、低温範囲から室温範囲、室温範囲から高温範囲、高温範囲から室温範囲、或いは室温範囲から低温範囲に変移したか否かを判断する。そして温度範囲の変移が無かった場合にはステップＳ２に戻る。一方、温度範囲の変移があった場合には、調整部２０は、電子ボリューム値ＥＶ１〜ＥＶ３、分割数ＤＶＮ等の設定に応じて、電子ボリューム値の自動調整を実行する（ステップＳ５）。即ち図７〜図１０（Ｃ）等で説明した電子ボリューム値の自動調整の処理を実行する。
【手続補正４】
【補正対象書類名】明細書
【補正対象項目名】０１３２
【補正方法】変更
【補正の内容】
【０１３２】
即ち図１３（Ａ）では、期間ＴＰ１（第１の期間）において温度センサー９０から出力される５個の検出温度値ＴＡＤ（複数の第１の検出温度値）に基づき求められた検出温度ＴＤＴ１（第１の検出温度）が、低温範囲（第１の温度範囲）に属している。また期間ＴＰ２（第２の期間）において温度センサー９０から出力される５個の検出温度値ＴＡＤ（複数の第２の検出温度値）に基づき求められた検出温度ＴＤＴ２（第２の検出温度）が、室温範囲（第２の温度範囲）に属している。